(57)【要約】  フィルタの長寿命化を可能とする水浄化システムを提供すること。  送水された水が使用されると、その使用済みの水を排水として排出する１以上の使用手段を含む水浄化システムは、シャワーブース２１からの排水を浄化するクロスフロー型フィルタ１２と、クロスフロー型フィルタ１２よりも前に配置された貯水タンク１４とを含む。貯水タンク１４は、クロスフロー型フィルタ１２により浄化されなかった排水を貯水する。シャワーブース２１は、クロスフロー型フィルタ１２により浄化された水を使用する。
2019088304.tif 000002
【特許請求の範囲】
【請求項１】
送水された水が使用されると、その使用済みの水を排水として排出する１以上の使用手段を含む水浄化システムにおいて、
前記排水を浄化する１以上の浄化手段と、
前記１以上の浄化手段よりも前に配置された１以上の貯水手段と、
を含み、
前記貯水手段は、前記１以上の浄化手段により浄化されなかった前記排水を貯水し、
前記１以上の使用手段は、前記１以上の浄化手段により浄化された前記排水を使用する、
水浄化システム。
【請求項２】
前記１以上の使用手段は、シャワーブースであり、
前記排水は、シャワー排水である、
請求項１に記載の水浄化システム。
【請求項３】
前記貯水手段は、当該貯水手段により貯水されている水のセンシングを行うセンサを有している、
請求項１又は２に記載の水浄化システム。
【請求項４】
送水された水が使用されると、その使用済みの水を排水として排出する１以上の使用手段を含む水浄化システムにおいて、
前記排水は少なくとも１以上の第１浄化手段を通過し第１貯水手段にて貯水され、
前記第１貯水手段に貯水された水は少なくとも１以上の第２浄化手段に送水され、
前記第１貯水手段は前記第２浄化手段により浄化されなかった水を貯水し、
前記第２浄化手段を通して浄化された水は第２貯水手段に貯水され、前記１以上の使用手段により使用される、
水浄化システム。
【請求項５】
前記１以上の使用手段は、シャワーブースであり、
前記排水は、シャワー排水である、
請求項４に記載の水浄化システム。
【請求項６】
前記第１貯水手段は、当該第１貯水手段により貯水されている水のセンシングを行うセンサを有している、
請求項４又は５に記載の水浄化システム。
【請求項７】
送水された水が使用されると、その使用済みの水を排水として排出する１以上の使用手段を含む水浄化システムにおいて、
少なくとも１以上の第１浄化手段を含んでおり、
前記１浄化手段の前には少なくとも１以上の第１貯水手段を含んでおり、
前記第１貯水手段は前記１浄化手段により浄化されなかった水を貯水し、
前記第１浄化手段を通して浄化された水は少なくとも１以上の第２貯水手段に貯水され、
前記第２貯水手段に貯水された水は、少なくとも１以上の第２浄化手段を通して前記１以上の使用手段により使用される、
水浄化システム。
【請求項８】
前記１以上の使用手段は、シャワーブースであり、
前記排水は、シャワー排水である、
請求項７に記載の水浄化システム。
【請求項９】
前記第１貯水手段及び第２貯水手段は、当該第１貯水手段及び第２貯水手段により貯水されている水のセンシングを行うセンサを有している、
請求項７又は８に記載の水浄化システム。
【請求項１０】
送水された水が使用されると、その使用済みの水を排水として排出する１以上の使用手段を含む水浄化システムにおいて、
少なくとも１以上の第１浄化手段を含んでおり、
前記第１浄化手段の前には少なくとも１以上の第１貯水手段を含んでおり、
前記第１貯水手段は前記第１浄化手段より浄化されずに戻ってきた水を貯め、
前記第１浄化手段を通して浄化された水は少なくとも１以上の第２貯水手段に貯水され、
前記第２貯水手段の水は少なくとも１以上の第２浄化手段に送水され、
前記第２貯水手段は前記第２浄化手段より浄化されなかった水を貯水し、
前記第２浄化手段を通して浄化された水は前記１以上の使用手段により使用される、
水浄化システム。
【請求項１１】
前記１以上の使用手段は、シャワーブースであり、
前記排水は、シャワー排水である、
請求項１０に記載の水浄化システム。
【請求項１２】
前記第１貯水手段および第２貯水手段は、当該第１貯水手段及び第２貯水手段により貯水されている水のセンシングを行うセンサを有している、
請求項１０又は１１に記載の水浄化システム。
【発明の詳細な説明】
【技術分野】
【０００１】
本発明は、水浄化システムに関する。
また本発明は、特に中間槽を有する水浄化システムに関する。
【背景技術】
【０００２】
従来より、使い捨てカートリッジフィルタ式の温水循環浄化装置としては、種々のものが開発されていた（特許文献１）。
【先行技術文献】
【特許文献】
【０００３】
【特許文献１】特開平９−３１３８２２号公報
【発明の概要】
【発明が解決しようとする課題】
【０００４】
しかしながら、特許文献１を含め従来の技術は、湯とカートリッジフィルタにおける不純物捕捉剤との接触面積を大きくすることでカートリッジフィルタの寿命を長くしていた。
不純物捕捉剤との接触面積を大きくすることに応じて使い捨てカートリッジフィルタの単価も上昇する為、交換頻度は抑えられるものの、ランニングコストの削減には必ずしも有効ではなかった。【０００５】
本発明は、このような状況を鑑みてなされたものであり、フィルタの単価を上昇させることなく長寿命化させることを可能とする水浄化システムを提供することを目的とする。
【課題を解決するための手段】
【０００６】
上記目的を達成するため、本発明の一態様の水浄化システムは、
送水された水が使用されると、その使用済みの水を排水として排出する１以上の使用手段を含む水浄化システムにおいて、
前記排水を浄化する１以上の浄化手段と、
前記１以上の浄化手段よりも前に配置された１以上の貯水手段と、
を含み、
前記貯水手段は、前記１以上の浄化手段により浄化されなかった前記排水を貯水し、
前記１以上の使用手段は、前記１以上の浄化手段により浄化された前記排水を使用する。
【発明の効果】
【０００７】
本発明によれば、水浄化システムで使用されるフィルタの長寿命化が可能となる。
【図面の簡単な説明】
【０００８】
【図１】本発明の第１実施形態に係る水浄化システムの構成を示す図である。
【図２】本発明の水浄化システムに含まれる制御装置の機能的構成を示すブロック図である。
【図３】本発明の第２実施形態に係る水浄化システムの構成を示す図である。
【図４】本発明の第３実施形態に係る水浄化システムの構成を示す図である。
【図５】本発明の第４実施形態に係る水浄化システムの構成を示す図である。
【図６】本発明の第５実施形態に係る水浄化システムの構成を示す図である。
【発明を実施するための形態】
【０００９】
以下、本発明の実施形態について図面を用いて説明する。
［第１実施形態］
図１は、本発明の第１実施形態に係る水浄化システム１の構成を示す図である。なお、図１における矢印は、水の流れの向きを示している。図３乃至図６も同様である。
【００１０】
本発明の第１実施形態に係る水浄化システム１は、制御装置１１と、クロスフロー型フィルタ１２と、ポンプ１３−１及び１３−２と、貯水タンク１４と、濃縮タンク１５と、シャワーブース２１とを含むように構成されている。
【００１１】
（制御装置）
制御装置１１は、後述する貯水タンク１４に配置されており、センシング部１０１と、制御部１０２とを備える。制御装置１１は、貯水タンク１４内の水の水質等のセンシングを行い、センシングが済んだ水を、クロスフロー型フィルタ１２に送水する。なお、制御装置１１の具体的な機能については、図２を参照して後述する。
【００１２】
（クロスフロー型フィルタ）
クロスフロー型フィルタ１２は、クロスフロー型フィルタ１２に送水された水を、汚染物質が濃縮された水（以下、「濃縮排水」と呼ぶ）と、シャワーブース２１において使用可能なレベルに浄化された水（以下、「浄化水」と呼ぶ）とに分離させる。分離された濃縮排水は、貯水タンク１４に戻すように送水される。これにより、貯水タンク１４には汚れが濃縮された水が徐々に貯水されていく。
ここで、クロスフロー型フィルタとは、水の流れる向きが、ろ過膜の表面に対し平行になるようにすることで、ろ過膜に送水される水に含まれる懸濁物質やコロイドが膜面に堆積する現象を抑制しながらろ過を行うフィルタの型式のことをいう。これに対して、第２実施形態及び第３実施形態で後述する全量ろ過型フィルタ１６は、ろ過膜に送水される水の全量についてろ過を行うフィルタの型式のことをいう。クロスフロー型フィルタ１２は、一般に膜面の流速が高いほど膜面への付着物質の堆積が抑制されるので、全量ろ過型フィルタ１６よりも高いろ過流束を得ることができる。
なお、クロスフロー型フィルタ１２は、ストレーナー、糸巻き、セディメント、限外濾過フィルタ（Ｕｌｔｒａ  Ｆｉｌｔｒａｔｉｏｎ  Ｍｅｍｂｒａｎｅ）、精密ろ過フィルタ、逆浸透フィルタ（Ｒｅｖｅｒｓｅ  Ｏｓｍｏｓｉｓ  Ｍｅｍｂｒａｎｅ）、正浸透フィルタ、イオン交換フィルタ、生物処理、などのうち少なくとも１以上を選択することができる。
【００１３】
（ポンプ）
ポンプ１３−１は、シャワーブース２１から排出された使用済みの排水を、貯水タンク１４に送水する。
ポンプ１３−２は、貯水タンク１４から排出された水を、クロスフロー型フィルタ１２を通過させてシャワーブース２１に送水するとともに、クロスフロー型フィルタ１２に送水された水のうち、浄化されなかった水を貯水タンク１４に戻すように送水される。
なお、ポンプ１３−１及び１３−２は、容積式ポンプ、非容積式ポンプ、水槌ポンプ、気泡ポンプ、噴射ポンプ、水中ポンプ、などのうち少なくとも１種類以上を選択することができる。
【００１４】
（貯水タンク）
貯水タンク１４は、シャワーブース２１から排出された使用済みの排水を貯水するためのタンクである。貯水タンク１４に貯水されている水の量は、水量メータ１４１によって確認することができる。上述したように、貯水タンク１４には、制御装置１１が配置されている。貯水タンク１４に貯水された水は、制御装置１１によって汚染濃度が判定される。汚染濃度が所定の閾値を超えたと判定されると、貯水タンク１４に貯水されている水は、濃縮排水として貯水タンク１４から排出されて、濃縮タンク１５に送水される。
なお、貯水タンク１４は、樹脂タンク、金属タンク、セラミックタンク、などのうち少なくとも１つから選択することができる。
【００１５】
（濃縮タンク）
濃縮タンク１５は、貯水タンク１４に貯水された水の汚染濃度が所定の閾値を超えたと判定された場合に、貯水タンク１４から排出される濃縮排水を一時的に貯水するためのタンクである。濃縮タンク１５に貯水された濃縮排水は、水浄化システム１のメンテナンスが実施された時など、所定のタイミングで廃棄される。
ここで、濃縮タンク１５に貯水された濃縮排水は、廃棄するだけではなく再利用することもできる。なお、濃縮タンク１５に貯水された濃縮排水を再利用する手法（第５実施形態）については、図６を参照して後述する。
【００１６】
（シャワーブース）
シャワーブース２１は、送水された浄化水を散水するシャワーを備えるブースである。シャワーブース２１は、図示はしないが、シャワーの水量を調節するバルブと、送水された浄化水を散水するシャワーヘッドと、シャワーヘッドから散水された浄化水をシャワーブース２１の外部に排出する排水パンとを備える。シャワーブース２１で使用された水は、ポンプ１３−１を介して貯水タンク１４に送水される。
【００１７】
以上のように、図１に示す第１実施形態の水浄化システムであれば、制御装置１１の制御により、過剰な汚染濃度の水をクロスフロー型フィルタ１２に送水されることがなくなるため、クロスフロー型フィルタ１２の長寿命化を実現させることが可能となる。
【００１８】
［機能的構成］
図２は、本発明の水浄化システム１が備える制御装置１１の機能的構成を示すブロック図である。
【００１９】
制御装置１１は、センシング部１０１と、制御部１０２とを備える。
【００２０】
センシング部１０１は、各種センサで構成されており、各種センサの夫々がセンシングを行う。なお、センシング部１０１におけるセンシングの対象は特に限定されない。センシング部１０１を構成する各種センサは、例えば水圧、流量、ｐＨ、粘度、濁度、色度、臭気、全有機炭素、全無機炭素、全炭素、硝酸態窒素、亜硝酸体窒素、アンモニア態窒素、全窒素、残留塩素、全リン、電気伝導度、温度、を検知可能な少なくとも１以上から選択することができる。
【００２１】
制御部１０２は、図示はしないが、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｙ）等からなるマイクロコンピュータを主体として構成され、所定のプログラムに従って各種の処理を実行することにより水浄化システム１の全体を制御する。例えば制御部１０２は、センシング部１０１のセンシングにより得られたセンシングデータに基づいて、貯水タンク１４に貯水された水の汚染濃度が所定の閾値を超えたか否かを判定する。汚染濃度が所定の閾値を超えると、制御部１０２は、貯水タンク１４から濃縮排水を排出する制御を実行する。
【００２２】
制御部１０２においては、水浄化処理が実行される場合には、取得部１１１と、判定部１１２と、送水制御部１１３とが機能する。
【００２３】
取得部１１１は、センシング部１０１のセンシングにより得られたセンシングデータを取得する。
【００２４】
判定部１１２は、取得部１１１により取得されたセンシングデータに基づいて、貯水タンク１４に貯水された水の汚染濃度が所定の閾値を超えているか否かを判定する。なお、所定の閾値をどのように設定するかについては特に限定されず、例えばクロスフロー型フィルタ１２の浄化能力や、シャワーブース２１で使用される浄化水のレベル及び使用量等に応じて任意に設定することができる。
【００２５】
送水制御部１１３は、判定部１１２による判定の結果に基づいて、水浄化システム１内に水を送水する制御を実行する。具体的には、送水制御部１１３は、水浄化システム１内に配置されたポンプ１３−１及び１３−２を制御したり、貯水タンク１４の排水弁（図示せず）等を制御したりすることで、水浄化システム１内の送水を制御する。
例えば、送水制御部１１３は、ポンプ１３−１が、水を貯水タンク１４に送水する制御を実行する。また、送水制御部１１３は、ポンプ１３−２が、クロスフロー型フィルタ１２を通過させた浄化水をシャワーブース２１に送水する制御、及びクロスフロー型フィルタ１２で浄化されなかった水を再び貯水タンク１４に送水する制御を実行する。
また、送水制御部１１３は、判定部１１２の判定の結果、貯水タンク１４に貯水された水の汚染濃度が所定の閾値を超えたとされた場合には、貯水タンク１４の排水弁（図示せず）を開く制御を実行する。これにより、貯水タンク１４に貯水された濃縮排水が排出されて、濃縮タンク１５に送水される。
【００２６】
このように、制御装置１１による送水の制御の内容は、貯水タンク１４に貯水された水の汚染濃度の閾値を、どのように設定するかによって変わってくる。
即ち、汚染濃度の閾値を下げた場合には、汚染濃度が低い状態の水が廃棄対象として濃縮タンクに送水されることになるので、それだけクロスフロー型フィルタ１２に送水される水の汚染濃度が低くなる。これにより、クロスフロー型フィルタ１２の低コスト化や長寿命化を図ることができる。また、水が貯水タンク１４に貯水されている時間が短くなるので、貯水タンク１４の内部における細菌の繁殖を抑えることもできる。ただし、汚染濃度の閾値を下げると、廃棄対象として濃縮タンクに送水される濃縮排水の量が増えることになるので、浄化して再使用可能な水の量が少なくなる。
【００２７】
これに対して、汚染濃度の閾値を上げた場合には、汚染濃度が高い状態の水が廃棄対象として濃縮タンクに送水されることになるので、それだけクロスフロー型フィルタ１２に送水される水の汚染濃度が高くなる。この場合、クロスフロー型フィルタ１２の浄化処理能力を高くするための高コスト化や、交換寿命の短命化の問題が生じ得る。また、水が貯水タンク１４に貯水されている時間が長くなるので、貯水タンク１４の内部における細菌の繁殖し易くなるという問題も生じ得る。しかしながら、廃棄対象として濃縮タンクに送水される濃縮排水の量が減ることになるので、浄化して再利用可能な水の量を増やすことができる。このため、例えば少量の水しか確保できないことが想定されるイベント等に好適である。
【００２８】
このように、クロスフロー型フィルタ１２のコストと、シャワーブース２１で使用する浄化水の量及び質との関係はトレードオフの関係にあるが、制御装置１１によれば、汚染濃度の閾値を任意に設定することで様々な価値基準に対応させることができる。例えば、クロスフロー型フィルタ１２のコストを抑えることが優先される場合には、制御装置１１は、汚染濃度の閾値を下げることにより、クロスフロー型フィルタ１２の低コスト化や長寿命化を図ることができる。また、シャワーブース２１で使用する浄化水の量を増やすことが優先される場合には、制御装置１１は、汚染濃度の閾値を上げることにより、浄化して再利用可能な水の量を増やすことができる。
これにより、フィルタの単価を上昇させることなく長寿命化させることを可能とする水浄化システムを提供することができる。
【００２９】
［第２実施形態］
図３は、本発明の第２実施形態に係る水浄化システム１の構成を示す図である。
【００３０】
本発明の第２実施形態に係る水浄化システム１は、制御装置１１と、クロスフロー型フィルタ１２と、ポンプ１３−１乃至１３−３と、貯水タンク１４と、濃縮タンク１５と、全量ろ過型フィルタ１６と、貯水タンク１７と、シャワーブース２１とを含むように構成されている。
【００３１】
制御装置１１、クロスフロー型フィルタ１２、ポンプ１３−１乃至１３−３、貯水タンク１４、濃縮タンク１５、及びシャワーブース２１の個々の機能は、第１実施形態と同様であるため説明を省略する。
全量ろ過型フィルタ１６は、シャワーブース２１から排出された使用済みの排水の全量をろ過するフィルタである。上述したように、全量ろ過型フィルタとは、ろ過膜に送水される水の全量についてろ過を行うフィルタの型式のことをいう。
貯水タンク１７は、クロスフロー型フィルタ１２により浄化された浄化水を貯水する。貯水タンク１７に貯水された浄化水は、制御装置１１の制御の下に、ポンプ１３−３を介してシャワーブース２１に送水される。
【００３２】
第２実施形態の水浄化システム１において、シャワーブース２１から排出された使用済みの排水は、図３に示すように、全量ろ過型フィルタに通水され、貯水タンク１４に貯水される。
貯水タンク１４に貯水されている水は、第１実施形態と同様に、制御装置１１によって汚染濃度が判定される。汚染濃度が所定の閾値を超えたと判定されると、貯水タンク１４に貯水されている水は、濃縮排水として貯水タンク１４から排出されて、濃縮タンク１５に送水される。
【００３３】
貯水タンク１４からクロスフロー型フィルタ１２に送水された水は、クロスフロー型フィルタ１２により濃縮排水と浄化水とに分離される。
濃縮排水は、貯水タンク１４に戻すように送水される。これにより、貯水タンク１４には汚れが濃縮された水が徐々に貯水されていく。
クロスフロー型フィルタ１２により浄化された水は、浄化水として貯水タンクへと送水される。
貯水タンク１４に貯水された水は、制御装置１１によって水量及び汚染濃度が判定され、貯水タンク１４に貯水された水の汚染濃度が閾値を超えたと判定されると、濃縮タンク１５に送水される。貯水タンク１７に送水された浄化水は貯水され、シャワーブース２１に送水されて使用される。
水浄化システムの構成を図３に示す構成にすることにより、所定の閾値を超えた汚染濃度の水がクロスフロー型フィルタ１２に送水されることがなくなるので、過剰に汚れた水がフィルタに送水されることがなくなる。このため、フィルタのさらなる長寿命化が可能となる。
【００３４】
［第３実施形態］
図４は、本発明の第３実施形態に係る水浄化システム１の構成を示す図である。
【００３５】
本発明の第３実施形態に係る水浄化システム１は、制御装置１１−１及び１１−２と、クロスフロー型フィルタ１２と、ポンプ１３−１乃至１３−３と、貯水タンク１４−１及び１４−２と、濃縮タンク１５と、全量ろ過型フィルタ１６と、シャワーブース２１とを含むように構成されている。
【００３６】
制御装置１１−１、クロスフロー型フィルタ１２、ポンプ１３−１乃至１３−３、貯水タンク１４−１、濃縮タンク１５、全量ろ過型フィルタ１６、及びシャワーブース２１の個々の機能は、第１実施形態又は第２実施形態と同様であるため説明を省略する。
貯水タンク１４−２は、クロスフロー型フィルタ１２により浄化された浄化水を貯水する。
【００３７】
第３実施形態の水浄化システム１において、シャワーブース２１から排出された使用済みの排水は、図４に示すように、貯水タンク１４−１に貯水される。
貯水タンク１４−１に貯水された水は、クロスフロー型フィルタ１２に通水され、濃縮排水と浄化水とに分離される。
濃縮排水は、貯水タンク１４−１に戻すように送水される。これにより、貯水タンク１４−１には汚れが濃縮された水が徐々に貯水されていく。
貯水タンク１４−１に貯水された水は、制御装置１１により汚染濃度が判定され、貯水タンク１４−１に貯水された水の汚染濃度が閾値を超えたと判定されると、濃縮タンク１５に送水される。
クロスフロー型フィルタ１２により浄化された浄化水は、貯水タンク１４−２に貯水される。
貯水タンク１４−２に貯水された浄水は、全量ろ過型フィルタ１６に送水される。
全量ろ過型フィルタ１６を通過した浄化水は、シャワーブース２１で使用する浄化水として利用することができる。
水浄化システムの構成を図４に示す構成にすることにより、クロスフロー型フィルタ１２で浄化された浄化水をさらに全量ろ過型フィルタ１６を通過させることができる。これにより、フィルタの長寿命化と安心安全に浄化した水を使用することが可能となる。
【００３８】
［第４実施形態］
図５は、本発明の第４実施形態に係る水浄化システム１の構成を示す図である。
【００３９】
本発明の第４実施形態に係る水浄化システム１は、制御装置１１−１及び１１−２と、クロスフロー型フィルタ１２−１乃至１２−２と、ポンプ１３−１乃至１３−３と、貯水タンク１４−１及び１４−２と、濃縮タンク１５−１及び１５−２と、シャワーブース２１とを含むように構成されている。
【００４０】
制御装置１１−１及び１１−２、クロスフロー型フィルタ１２−１及び１２−２、ポンプ１３−１乃至１３−３、貯水タンク１４−１及び１４−２、濃縮タンク１５−１及び１５−２、及びシャワーブース２１の個々の機能は、第１実施形態乃至第３実施形態と同様であるため説明を省略する。
第４実施形態の水浄化システムにおいて、シャワーブース２１から排出された使用済みの排水は、図５に示すように、貯水タンク１４−１に貯水される。
貯水タンク１４−１に貯水された水は、クロスフロー型フィルタ１２−１に通水され、濃縮排水と浄化水とに分離される。
クロスフロー型フィルタ１２−１から出力された濃縮排水は、貯水タンク１４−１に戻すように送水される。これにより、貯水タンク１４−１には汚れが濃縮された水が徐々に貯水されていく。貯水タンク１４−１に貯水された水は、制御装置１１により汚染濃度が判定され、貯水タンク１４−１に貯水された水の汚染濃度が閾値を超えたと判定されると、濃縮タンク１５−１に送水される。
クロスフロー型フィルタ１２−１から出力された浄化水は、貯水タンク１４−２に貯水される。
貯水タンク１４−２に貯水された浄化水は、クロスフロー型フィルタ１２−２に通水されて、さらに濃縮排水と浄化水とに分離される。即ち、クロスフロー型フィルタ１２−１により浄化された水が、クロスフロー型フィルタ１２−２によりさらに濃縮排水と浄化水とに分離される。これにより、シャワーブース２１で使用する浄化水の水質を向上させることができる。
クロスフロー型フィルタ１２−２から出力された濃縮排水は、貯水タンク１４−２に戻るように送水される。これにより、貯水タンク１４−２には汚れが濃縮された水が徐々に貯水されていく。ただし、貯水タンク１４−２に貯水されている水は、クロスフロー型フィルタ１２−１により浄化された水であるため、貯水タンク１４−２に貯水されている水の汚染濃度は、貯水タンク１４−２に貯水されている水の汚染濃度よりも低い状態となる。
貯水タンク１４−２に貯水された水は、制御装置１１により汚染濃度が判定され、貯水タンク１４−１に貯水された水の汚染濃度が閾値を超えたと判定されると、濃縮タンク１５−２に送水される。クロスフロー型フィルタ１２−２によりさらに浄化された浄化水はシャワーブース２１で使用することができる。
水浄化システムの構成を図５に示す構成とすることにより、クロスフロー型フィルタ１２−１で浄化された浄化水をさらにクロスフロー型フィルタ１２−１で浄化させることができる。これにより、フィルタの長寿命化とさらなる安心安全に浄化した水を利用することが可能となる。
【００４１】
［第５実施形態］
図６は、本発明の第５実施形態に係る水浄化システム１の構成を示す図である。
【００４２】
本発明の第５実施形態に係る水浄化システム１は、上述の第１実施形態乃至第４実施形態に含まれている濃縮タンク１５を含まない構成となっている。第５実施形態では、濃縮タンク１５の代わりに、濃縮排水を別プロセスで浄化するための浄化装置３１を含むように構成されている。
即ち、第１実施形態乃至第４実施形態では、貯水タンク１４から排出された濃縮排水は、濃縮タンク１５に貯水されたうえで廃棄される。しかしながら、貯水タンク１４から濃縮排水を排出する基準となる汚染濃度の閾値が低く設定されている場合には、汚染濃度が低い濃縮排水が濃縮タンクに貯水されることとなる。この場合、上述したように、クロスフロー型フィルタ１２や全量ろ過型フィルタ１６の長寿命化を図ることができるが、濃縮タンクに貯水される濃縮排水の量が増えることになる。これにより、シャワーブース２１に送水される浄化水の水質を向上させることはできるが、シャワーブース２１に送水される浄化水の量は少なくなる。
【００４３】
そこで、貯水タンク１４から排出された濃縮排水を浄化して再利用する。具体的には、図６に示すように、貯水タンク１４と濃縮タンク１５との間に、浄化装置３１を含む構成とする。これにより、貯水タンク１４から排出された濃縮排水の少なくとも一部を再利用可能とする別工程の浄化処理を行ったうえで、浄化された水を貯水タンク１４に戻すことができる。また、浄化されなかった水は、浄化装置３１から濃縮タンク１５に排出される。
これにより、シャワーブース２１に送水される浄化水の水質を所定レベルで維持させながらシャワーブース２１に送水される浄化水の量を増やすことができる。
【００４４】
ここで、浄化装置３１における浄化処理の具体的手法は特に限定されない。例えば、微生物による分解、オゾン殺菌、凝集沈降、固形化等、あらゆる手法を用いることができる。具体的には、微生物の分解により浄化を行う場合には、濃縮タンク１５に貯水された濃縮排水の汚染濃度が高い方が分解を促進させることができるので、第５実施形態のように浄化装置３１を設けることで濃縮排水をさらに濃縮するメリットがある。また、固形化により浄化を行う場合には、固形化された汚染物質を燃料として再利用することも可能となる。
【００４５】
以上本発明の一実施形態について説明したが、本発明は、上述の実施形態に限定されるものではなく、本発明の目的を達成できる範囲での変形、改良等は本発明に含まれるものである。
【００４６】
例えば、上述の実施形態における、クロスフロー型フィルタ１２、貯水タンク１４、全量ろ過型フィルタ１６、貯水タンク１７、及びシャワーブース２１の数や配置は一例に過ぎない。用途に応じて様々なバリエーションの組み合せが可能となる。
【００４７】
また例えば、本発明における使用手段について、上述の実施形態ではシャワーブース２１が採用されているが、これに限定されず、例えば洗濯機、トイレ、食器洗い乾燥機など、水の入出力を伴う様々なデバイスを採用することができる。上述の実施形態で採用されているシャワーブース２１の場合、排水に含まれる成分は、皮脂、石鹸類、毛等、予測可能なものとなる。このため、クロスフロー型フィルタ１２、貯水タンク１４、全量ろ過型フィルタ１６、及び貯水タンク１７の数や配置のバリエーションもそれに応じたものを任意に選択することができる。同様に、本発明における使用手段として、洗濯機、トイレ、食器洗い乾燥機などが選択された場合には、クロスフロー型フィルタ１２、貯水タンク１４、全量ろ過型フィルタ１６、及び貯水タンク１７の数や配置のバリエーションも、選択された使用手段に応じたものを任意に選択することができる。その結果、多量の浄化水を準備することが可能となるとともに、多量の排水の処理を行うことができため、安定的な浄化水の供給を実現させることができる。例えば、多数の者によるシャワーブース２１やその他のデバイスの利用が見込まれる場所、例えばキャンプ場、イベント会場、災害が発生したときの避難場所、トレーラーハウス、海水浴場等にシャワーブース２１やその他のデバイスを設置することができる。
【００４８】
また、図６に示す水浄化システム１の構成は例示に過ぎない。図６では、シャワーブース２１から排出された使用済みの排水は、貯水タンク１４に貯水された後に、濃縮排水として浄化装置３１に送水される構成となっている。ただし、この構成に限定されず、例えば、図示はしないが、シャワーブース２１から排出された使用済みの排水が、直接、浄化装置３１又は濃縮タンク１５に送水され、その後、貯水タンク１４に貯水されて浄化される構成としてもよい。
【００４９】
また例えば、図２の機能的構成は例示に過ぎず、特に限定されない。
即ち、上述した一連の処理を全体として実行できる機能が水浄化システム１に備えられていれば足り、この機能を実現するためにどのような機能ブロックを用いるのかは特に図２の例に限定されない。また、機能ブロックの存在場所も、図２に特に限定されず、任意でよい。
【００５０】
以上まとめると、本発明が適用される水浄化システムは、次のような構成を取れば足り、各種各様な実施形態を取ることができる。
即ち、本発明が適用される水浄化システム（例えば図１の水浄化システム１）は、
送水された水が使用されると、その使用済みの水を排水として排出する１以上の使用手段（例えば図１のシャワーブース２１）を含む水浄化システムにおいて、
前記排水を浄化する１以上の浄化手段（例えば図１のクロスフロー型フィルタ１２）と、
前記１以上の浄化手段よりも前に配置された１以上の貯水手段（例えば図１の貯水タンク１４）と、
を含み、
前記貯水手段は、前記１以上の浄化手段により浄化されなかった前記排水を貯水し、
前記１以上の使用手段は、前記１以上の浄化手段により浄化された前記排水を使用する。
これにより、フィルタの長寿命化を可能とする水浄化システムを提供することができる。
【００５１】
また、前記１以上の使用手段は、シャワーブース（例えば図１のシャワーブース２１）であり、
前記排水は、シャワー排水である、とすることができる。
これにより、フィルタの長寿命化を可能とする、シャワーブースの排水を浄化する水浄化システムを提供することができる。
【００５２】
また、前記貯水手段は、当該貯水手段により貯水されている水のセンシングを行うセンサ（例えば図２のセンシング部１０１）を有している、とすることができる。
これにより、水質に応じてフィルタの長寿命化を可能とする、水浄化システムを提供することができる。
【００５３】
また、本発明が適用される水浄化システム（例えば図３の水浄化システム１）は、
送水された水が使用されると、その使用済みの水を排水として排出する１以上の使用手段（例えば図３のシャワーブース２１）を含む水浄化システムにおいて、
前記排水は少なくとも１以上の第１浄化手段（例えば図３の全量ろ過型フィルタ１６）を通過し第１貯水手段（例えば図１の貯水タンク１４）にて貯水され、
前記第１貯水手段に貯水された水は少なくとも１以上の第２浄化手段（例えば図３のクロスフロー型フィルタ１２）に送水され、
前記第１貯水手段は前記第２浄化手段により浄化されなかった水を貯水し、
前記第２浄化手段を通して浄化された水は第２貯水手段（例えば図３の貯水タンク１７）に貯水され、前記１以上の使用手段により使用される。
これにより、フィルタのさらなる長寿命化を可能とする水浄化システムを提供することができる。
【００５４】
また、前記１以上の使用手段は、シャワーブースであり、
前記排水は、シャワー排水である、とすることができる。
これにより、フィルタのさらなる長寿命化を可能とする、シャワーブースの排水を浄化する水浄化システムを提供することができる。
【００５５】
また、前記第１貯水手段は、当該第１貯水手段により貯水されている水のセンシングを行うセンサ（例えば図２のセンシング部１０１）を有している、とすることができる。
これにより、水質に応じてフィルタのさらなる長寿命化を可能とする、水浄化システムを提供することができる。
【００５６】
また、本発明が適用される水浄化システム（例えば図４の水浄化システム１）は、
送水された水が使用されると、その使用済みの水を排水として排出する１以上の使用手段（例えば図４のシャワーブース２１）を含む水浄化システムにおいて、
少なくとも１以上の第１浄化手段（例えば図４のクロスフロー型フィルタ１２）を含んでおり、
前記１浄化手段の前には少なくとも１以上の第１貯水手段（例えば図４の貯水タンク１４−１）を含んでおり、
前記第１貯水手段は前記１浄化手段により浄化されなかった水を貯水し、
前記第１浄化手段を通して浄化された水は少なくとも１以上の第２貯水手段（例えば図４の貯水タンク１４−２）に貯水され、
前記第２貯水手段に貯水された水は、少なくとも１以上の第２浄化手段（例えば図４の全量ろ過型フィルタ１６）を通して前記１以上の使用手段により使用される。
これにより、フィルタのさらなる長寿命化を可能とする水浄化システムを提供することができる。
【００５７】
また、前記１以上の使用手段は、シャワーブースであり、
前記排水は、シャワー排水である、とすることができる。
これにより、フィルタのさらなる長寿命化を可能とする、シャワーブースの排水を浄化する水浄化システムを提供することができる。
【００５８】
また、前記第１貯水手段及び第２貯水手段は、当該第１貯水手段及び第２貯水手段により貯水されている水のセンシングを行うセンサ（例えば図２のセンシング部１０１）を有している、とすることができる。
これにより、水質に応じてフィルタのさらなる長寿命化を可能とする、水浄化システムを提供することができる。
【００５９】
また、本発明が適用される水浄化システム（例えば図５の水浄化システム１）は、
送水された水が使用されると、その使用済みの水を排水として排出する１以上の使用手段（例えば図５のシャワーブース２１）を含む水浄化システムにおいて、
少なくとも１以上の第１浄化手段（例えば図５のクロスフロー型フィルタ１２−１）を含んでおり、
前記第１浄化手段の前には少なくとも１以上の第１貯水手段（例えば図５の貯水タンク１４−１）を含んでおり、
前記第１貯水手段は前記第１浄化手段より浄化されずに戻ってきた水を貯め、
前記第１浄化手段を通して浄化された水は少なくとも１以上の第２貯水手段（例えば図５の貯水タンク１４−２）に貯水され、
前記第２貯水手段の水は少なくとも１以上の第２浄化手段（例えば図５のクロスフロー型フィルタ１２−２）に送水され、
前記第２貯水手段は前記第２浄化手段より浄化されなかった水を貯水し、
前記第２浄化手段を通して浄化された水は前記１以上の使用手段により使用される。
これにより、フィルタのさらなる長寿命化を可能とする水浄化システムを提供することができる。
【００６０】
また、前記１以上の使用手段は、シャワーブースであり、
前記排水は、シャワー排水である、とすることができる。
これにより、フィルタのさらなる長寿命化を可能とする、シャワーブースの排水を浄化する水浄化システムを提供することができる。
【００６１】
また、前記第１貯水手段および第２貯水手段は、当該第１貯水手段及び第２貯水手段により貯水されている水のセンシングを行うセンサ（例えば図２のセンシング部１０１）を有している、とすることができる。
これにより、水質に応じてフィルタのさらなる長寿命化を可能とする、水浄化システムを提供することができる。
【符号の説明】
【００６２】
１・・・水浄化システム、１１・・・制御装置、１２，１２−１，１２−２・・・クロスフロー型フィルタ、１３−１，１３−２，１３−３・・・ポンプ、１４，１４−１，１４−２，１７・・・貯水タンク、１５・・・濃縮タンク、１６・・・全量ろ過フィルタ、２１・・・シャワーブース、３１・・・浄化装置
【図１】
2019088304.tif 000003
【図２】
2019088304.tif 000004
【図３】
2019088304.tif 000005
【図４】
2019088304.tif 000006
【図５】
2019088304.tif 000007
【図６】
2019088304.tif 000008
【国際調査報告】
2019088304.tif 000009
2019088304.tif 000010
2019088304.tif 000011
2019088304.tif 000012
2019088304.tif 000013
2019088304.tif 000014